(57)【要約】【課題】組み付け作業を容易に行うことのできるフードロック装置の組み付け構造を提供する。【解決手段】フードロック装置３０は、ラジエータコアサポート１４のアッパー２０に固定されるとともに、フードの内面に突設されたフードストライカーとの係合を通じてフードを閉状態でロックする。アッパー２０とフードロック装置３０とが車幅方向に相対移動可能な態様で、嵌合力を利用してフードロック装置３０をアッパー２０に仮組みする仮組み部（一対の右側係合片２３、右側固定部３６、一対の左側係合片２４、左側固定部３７）を有する。【選択図】図３
2020032912.tif 000002
【特許請求の範囲】
【請求項１】
車両本体の組み付け部に固定されるとともに、フードの内面に突設されたフードストライカーとの係合を通じて前記フードを閉状態でロックするフードロック装置の組み付け構造において、
前記組み付け部と前記フードロック装置とが車幅方向に相対移動可能な態様で、嵌合力を利用して前記フードロック装置を前記組み付け部に仮組みする仮組み部を有する
ことを特徴とするフードロック装置の組み付け構造。
【請求項２】
前記仮組み部は、前記フードロック装置における車両右側の部分と車両左側の部分とにそれぞれ設けられる
請求項１に記載のフードロック装置の組み付け構造。
【請求項３】
前記仮組み部は、前記組み付け部および前記フードロック装置の一方に突設されるとともに車両上下方向に間隔を置いた位置で車幅方向に延びる一対の係合片と、前記組み付け部および前記フードロック装置の他方に設けられるとともに車幅方向に延びて前記一対の係合片に挟持される係合部と、を備える
請求項１または２に記載のフードロック装置の組み付け構造。
【請求項４】
前記係合部は、前記一方に近い側の端面における車両上方側の部分と車両下方側の部分とが、前記一方から離間する側に湾曲した面になっている
請求項３に記載のフードロック装置の組み付け構造。
【請求項５】
前記係合片は、車幅方向において断面Ｓ字状で延びている
請求項３または４に記載のフードロック装置の組み付け構造。
【請求項６】
前記係合部は、車両上方側において車両前後方向に延びる上壁と、車両下方側において車両前後方向に延びる下壁と、前記上壁および前記下壁を繋ぐように車両上下方向に延びるベース壁と、を有する
請求項３〜５のいずれか一項に記載のフードロック装置の組み付け構造。
【請求項７】
前記組み付け部は、合成樹脂製のラジエータコアサポートである
請求項１〜６のいずれか一項に記載のフードロック装置の組み付け構造。
【発明の詳細な説明】
【技術分野】
【０００１】
本発明は、フードロック装置の組み付け構造に関するものである。
【背景技術】
【０００２】
自動車などの車両に、エンジンルームを開閉するフードや、同フードを閉状態でロックするフードロック装置を設けることが多用されている。フードロック装置は、車両前部（例えばラジエータコアサポートのアッパー）の上縁に設けられており、フード下面に突設されたフック状のフードストライカーを引っ掛けて係止するようになっている。
【０００３】
ここで、フードロック装置による適正なロックを実現するために、同フードロック装置の組み付け位置を調整することが提案されている（例えば特許文献１）。
特許文献１では、フードロック装置の固定用のブラケットが、ラジエータコアサポートに溶接（接合）されている。そして、ラジエータコアサポートに対するブラケットの接合位置を調節することによって、フードロック装置の位置調整がなされる。
【０００４】
この特許文献１では、フードロック装置を組み付ける作業が例えば以下のように行われる。先ず、フードロック装置にフードストライカーが適正に係合するように、ラジエータコアサポートに対するフードロック装置（詳しくは、ブラケット）の位置が調整される。そして、このブラケットが作業者によって把持される等して同ブラケットが位置調整された状態のままで保持されるとともに、ブラケットがラジエータコアサポートにスポット溶接によって固定される。その後、フードロック装置がブラケットを介してラジエータコアサポートに固定される。このようにフードロック装置を組み付けることにより、同フードロック装置によってフードを閉状態でロックすることが可能になる。
【先行技術文献】
【特許文献】
【０００５】
【特許文献１】特開２０１２−１２６３０９号公報
【発明の概要】
【発明が解決しようとする課題】
【０００６】
上述したフードロック装置の組み付け構造では、同フードロック装置の組み付けにかかる一連の作業が煩雑な作業になってしまう。
本発明は、そうした実情に鑑みてなされたものであり、その目的は、組み付け作業を容易に行うことのできるフードロック装置の組み付け構造を提供することにある。
【課題を解決するための手段】
【０００７】
上記課題を解決するためのフードロック装置の組み付け構造は、車両本体の組み付け部に固定されるとともに、フードの内面に突設されたフードストライカーとの係合を通じて前記フードを閉状態でロックするフードロック装置の組み付け構造において、前記組み付け部と前記フードロック装置とが車幅方向に相対移動可能な態様で、嵌合力を利用して前記フードロック装置を前記組み付け部に仮組みする仮組み部を有する。
【０００８】
上記構成によれば、フードロック装置を組み付け部に嵌めるといった作業を通じて同フードロック装置を仮組みすることができる。これにより、フードロック装置が組み付け部に固定される前に、同フードロック装置が組み付け部によって支持された状態にすることができる。しかも、こうした仮組み状態において、フードロック装置を組み付け部に対して相対移動させるといった作業を通じて、同フードロック装置の車幅方向の位置を調節することもできる。このように上記構成によれば、フードロック装置を仮組みする作業と位置調整する作業とを容易に行うことができるため、フードロック装置の組み付け作業を容易に行うことができる。
【発明の効果】
【０００９】
本発明によれば、フードロック装置の組み付け作業を容易に行うことができる。
【図面の簡単な説明】
【００１０】
【図１】第１実施形態のフードロック装置の組み付け構造が適用される車両の正面図。
【図２】同フードロック装置およびその周辺の正面図。
【図３】同フードロック装置およびその周辺の分解斜視図。
【図４】固定部およびその周辺の側断面図。
【図５】位置調整時におけるフードロック装置のベースとフードストライカーとの位置関係の一例を示す正面図。
【図６】第２実施形態のフードロック装置およびその周辺の斜視図。
【図７】第２実施形態にかかる固定部およびその周辺の側断面図。
【図８】第３実施形態のフードロック装置およびその周辺の斜視図。
【図９】第３実施形態にかかる固定部およびその周辺の側断面図。
【図１０】第４実施形態のフードロック装置およびその周辺の斜視図。
【図１１】第４実施形態の係合片およびその周辺の平面図。
【図１２】第４実施形態のフードロック装置およびその周辺の分解斜視図。
【図１３】第４実施形態にかかる固定部およびその周辺の側断面図。
【図１４】第５実施形態のフードロック装置およびその周辺の斜視図。
【図１５】第５実施形態のフードロック装置およびその周辺の分解斜視図。
【図１６】第５実施形態にかかる固定部およびその周辺の側断面図。
【図１７】第６実施形態のフードロック装置およびその周辺の分解斜視図。
【図１８】第６実施形態のフードロック装置およびその周辺の斜視図。
【図１９】第７実施形態のフードロック装置およびその周辺の分解斜視図。
【図２０】第７実施形態のフードロック装置およびその周辺の斜視図。
【図２１】第８実施形態のフードロック装置およびその周辺の斜視図。
【図２２】第８実施形態のフードロック装置およびその周辺の分解斜視図。
【図２３】（ａ）および（ｂ）第８実施形態にかかるポケット部およびその周辺の平断面図。
【発明を実施するための形態】
【００１１】
（第１実施形態）
以下、フードロック装置の組み付け構造の第１実施形態について図１〜図５を参照して説明する。
【００１２】
図１に示すように、車両１０にはエンジンルーム１１を開閉するフード１２が取り付けられている。フード１２は、エンジンルーム１１後部の上縁に、ヒンジ（図示略）を介して揺動可能に支持されている。フード１２の内面にはフードストライカー１３が突設されている。フードストライカー１３は、上記フード１２が閉じられた状態で車両前後方向（以下、単に前後方向）に延びるとともにコの字状で下方に突出するフック部１３Ａを有している。
【００１３】
車両１０の前部には、略四角枠状をなすラジエータコアサポート１４が設けられている。ラジエータコアサポート１４の上部を構成するアッパー２０は合成樹脂材料によって形成されており、同ラジエータコアサポート１４におけるアッパー２０以外の部分は金属材料によって形成されている。
【００１４】
図１および図２に示すように、アッパー２０の前面にはフードロック装置３０が固定されている。フードロック装置３０は、フード１２が閉じられたときに、内部に進入するフードストライカー１３のフック部１３Ａを引っ掛かけて係止する構造になっている。このようにフードストライカー１３をフードロック装置３０に係止することにより、フード１２が閉状態でロックされる。
【００１５】
以下、フードロック装置３０の具体構造について説明する。
図２および図３に示すように、フードロック装置３０は、正面視（図２に示す状態）で略五角形状のベース３１を有している。ベース３１は、金属板を曲げ加工することによって形成されており、上下方向に延びるとともに同ベース３１の上端で開口するように切り欠かかれた部分（切り欠き部３１Ａ）を有している。切り欠き部３１Ａは、対向する内面の間隔が車両上方（以下、単に上方）に向かうに連れて広くなる形状になっている。フード１２を閉じる際には、図２中に黒塗りの矢印で示すように、フードストライカー１３のフック部１３Ａが、上端の開口から切り欠き部３１Ａの内部に進入するようになる。
【００１６】
図２に示すように、フードロック装置３０はラッチ３２を有している。ラッチ３２は、前後方向に延びる直線Ｌ１を中心に回転可能な状態でベース３１に支持されており、正面視で時計回り方向に常時付勢されている。このラッチ３２は、外縁で開口するように切り欠かれた部分（切り欠き部３２Ａ）を有している。
【００１７】
フード１２が開かれた状態（開状態）では、正面視でラッチ３２の切り欠き部３２Ａの開口端が上記ベース３１の切り欠き部３１Ａ内に位置している。この開状態においてフードロック装置３０は、フード１２の閉じ操作に際してフードストライカー１３のフック部１３Ａがベース３１の切り欠き部３１Ａに進入したときに、同フック部１３Ａがラッチ３２の切り欠き部３２Ａ内に進入する状態になっている。そして、フード１２が閉じられると、フードストライカー１３のフック部１３Ａがラッチ３２の切り欠き部３２Ａ内に進入し、これに伴って同ラッチ３２が正面視で反時計回り方向に回転するようになる。その結果、正面視でラッチ３２の切り欠き部３２Ａの開口端がベース３１の切り欠き部３１Ａの外部に位置した状態（図２に示す状態）になる。そのため、フード１２が閉じられた状態（閉状態）では、フードストライカー１３のフック部１３Ａが、正面視でベース３１の切り欠き部３１Ａの内面とラッチ３２の切り欠き部３２Ａの内面とによって囲まれた部分に嵌まった状態（図２に示す状態）になる。そして、こうした閉状態では、ラッチ３２の回転が規制されるようになっている。このようにしてフード１２は閉状態でロックされる。
【００１８】
図２および図３に示すように、フードロック装置３０はキャッチ３３を有している。キャッチ３３は、前後方向に延びる直線Ｌ２（図２）を中心に回転可能な状態でベース３１に支持されており、正面視で時計回り方向に常時付勢されている。
【００１９】
キャッチ３３は、その回転中心Ｌ２の車両右側（以下、単に右側）に配置されるとともに、上下方向に延びるアーム部３４を有している。このアーム部３４の上端には、車両左側（以下、単に左側）に向けて鉤状に曲がった部分であるフック部３４Ａが設けられている。このフック部３４Ａの上端面３４Ｂは、同フック部３４Ａの突端（図２の右端）に向かうに連れて下方側の位置になるように傾斜した傾斜面になっている。
【００２０】
また、キャッチ３３は、その回転中心Ｌ２の左側に配置されて上下方向に延びるレバー部３５を有している。このレバー部３５はフード１２を開く際に上方に操作される操作部材であり、このレバー部３５が操作されると、キャッチ３３が正面視で反時計回り方向に回転する。
【００２１】
レバー部３５が操作されていないときには、アーム部３４のフック部３４Ａが正面視でベース３１の切り欠き部３１Ａの上部開口を塞いだ状態（図２に示す状態）になる。フード１２が閉じ操作されると、アーム部３４のフック部３４Ａの上端面３４Ｂにフードストライカー１３のフック部１３Ａが当接するようになる。このときフードストライカー１３のフック部１３Ａによって右側に押し退けられるようにして、アーム部３４（フック部３４Ａ）が正面視で反時計回り方向に回転する。そして、フードストライカー１３のフック部１３Ａがベース３１の切り欠き部３１Ａ内に進入するようになる。
【００２２】
一方、フード１２を開く際にはキャッチ３３のレバー部３５が上方に操作される。これにより、キャッチ３３が正面視で反時計回り方向に回転して、アーム部３４のフック部３４Ａが正面視でベース３１の切り欠き部３１Ａと重ならない位置に移動する。その結果、キャッチ３３のフック部３４Ａによって遮られることなく、ベース３１の切り欠き部３１Ａ内からフードストライカー１３のフック部１３Ａを脱出させることが可能になるため、フード１２を開状態にすることが可能になる。
【００２３】
以下、フードロック装置３０をアッパー２０に組み付けるための構造について説明する。
フードロック装置３０は、アッパー２０に固定される部分である３つの固定部３６，３７，３８を有している。具体的には、ベース３１の右側部には右側に突出する右側固定部３６が設けられており、ベース３１の左側部には左側に突出する左側固定部３７が設けられており、ベース３１の下部には下方に突出する下側固定部３８が設けられている。これら固定部３６，３７，３８はいずれも、上下方向および車幅方向に延びる略平板状をなすとともに、車幅方向に延びる長穴状の挿通孔３９を有している。また、右側固定部３６および左側固定部３７は、その先端部分を除く部分が車幅方向において一定の幅で直線状に延びている。本実施形態では、これら右側固定部３６および左側固定部３７が、一対の係合片に挟持される係合部に相当する。
【００２４】
アッパー２０における上記フードロック装置３０の各固定部３６，３７，３８の挿通孔３９に対応する位置には、雌ねじを有するブラインドナット２２が設けられている。フードロック装置３０をアッパー２０に固定する際には、３本のボルト１５（図３）が各固定部３６，３７，３８の挿通孔３９に挿通されるとともに、各ブラインドナット２２に螺合される。これにより、フードロック装置３０がアッパー２０に締結固定される。
【００２５】
図２〜図４に示すように、アッパー２０の前面における上記右側固定部３６に対応する位置には、一対の右側係合片２３が、同右側固定部３６を間に挟むように立設されている。また、アッパー２０の前面における上記左側固定部３７に対応する位置には、一対の左側係合片２４が、同左側固定部３７を間に挟むように立設されている。一対の右側係合片２３および一対の左側係合片２４は、前後方向および車幅方向に延びる略平板状で、上下方向に間隔を置いて平行に延びている。一対の右側係合片２３および一対の左側係合片２４では、上方側の係合片２３，２４よりも下方側の係合片２３，２４が厚くなっている。一対の右側係合片２３の基端部分における上下方向の間隔は右側固定部３６の上下方向の長さと略同一になっている。また、一対の左側係合片２４の基端部分における上下方向の間隔は左側固定部３７の上下方向の長さと略同一になっている。一対の右側係合片２３の並び方向における外方側の面や一対の左側係合片２４の並び方向における外方側の面には、前後方向および上下方向に延びる板状の複数のリブ２５が一体形成されている。
【００２６】
一対の右側係合片２３の突端における対向面と一対の左側係合片２４の突端における対向面とにはそれぞれ、車幅方向に延びる凸部（引っ掛け部２６）が設けられている。図４に示すように、各引っ掛け部２６の基端側（図４の左側）の端部は基端側の部分よりも先端側（図４の右側）の部分が突出した段差状をなしている。また、引っ掛け部２６の突端面２６Ａは先端側に向かうに連れて同引っ掛け部２６の突出量が小さくなるように傾斜した傾斜面になっている。
【００２７】
なお本実施形態では、右側固定部３６、右側係合片２３、左側固定部３７、および左側係合片２４が、嵌合力を利用してフードロック装置３０をアッパー２０に仮組みする仮組み部に相当する。
【００２８】
以下、フードロック装置３０のアッパー２０への組み付けにかかる一連の作業について、その作用効果とともに詳細に説明する。
フードロック装置３０をアッパー２０に組み付ける際には、先ず、アッパー２０前面の右側係合片２３にフードロック装置３０の右側固定部３６が嵌められるとともに、アッパー２０前面の左側係合片２４にフードロック装置３０の左側固定部３７が嵌められる。詳しくは、図４に示すように、一対の係合片２３，２４を押し開くように弾性変形させつつ、それら係合片２３，２４の間に固定部３６，３７が押し込まれる。このとき図４中に白抜きの矢印で示すように、上方側の係合片２３，２４が上方に弾性変形するとともに下方側の係合片２３，２４が下方に弾性変形するようになる。そして、固定部３６，３７が係合片２３，２４の引っ掛け部２６を通過すると、係合片２３，２４が弾性変形から復元して、係合片２３，２４の引っ掛け部２６が固定部３６，３７の前面における外縁に引っ掛かる。これにより、一対の係合片２３，２４によって固定部３６，３７が挟持された状態になり、固定部３６，３７が係合片２３，２４の間から外れて脱落することが抑えられる状態になる。
【００２９】
このように本実施形態によれば、固定部３６，３７を一対の係合片２３，２４の間に嵌めるといった簡単な作業を通じて、フードロック装置３０をアッパー２０に仮組みすることができる。
【００３０】
本実施形態では、一対の右側係合片２３や一対の左側係合片２４において、上方側の係合片２３，２４よりも下方側の係合片２３，２４が厚くなっている。これにより、上方側の係合片２３，２４を薄くして変形し易くすることができるため、固定部３６，３７を一対の係合片２３，２４の間に嵌める作業をスムーズに行うことができる。また、下方側の係合片２３，２４を厚くして比較的変形し難くすることができるため、下方側の係合片２３，２４によって固定部３６，３７を適正に支持することができる。
【００３１】
また本実施形態では、フードロック装置３０の右側の部分に一対の右側係合片２３と右側固定部３６とが設けられており、フードロック装置３０の左側の部分に一対の左側係合片２４と左側固定部３７とが設けられている。そのため、フードロック装置３０がアッパー２０に仮組みされたときに、同フードロック装置３０の両側部がアッパー２０に支持されるようになる。したがって、フードロック装置３０をアッパー２０によって安定した状態で支持することができる。
【００３２】
なお、このようにしてフードロック装置３０を仮組みした状態のアッパー２０を、車両１０の組み立てを行う組立工場に納品するべく搬送したり、組立工場内における次工程の作業場に搬送したりすることが想定される。本実施形態によれば、フードロック装置３０の各固定部３６，３７とアッパー２０の各係合片２３，２４との係合を通じて、フードロック装置３０がアッパー２０に取り付けられている。そのため、フードロック装置３０を仮組みした状態でのアッパー２０の搬送に際して、同フードロック装置３０がアッパー２０から外れて脱落することが抑えられるようになる。
【００３３】
また本実施形態では、一対の右側係合片２３の基端部分における上下方向の間隔が右側固定部３６の上下方向の長さと略同一になっており、一対の左側係合片２４の基端部分における上下方向の間隔が左側固定部３７の上下方向の長さと略同一になっている。そのため、このときフードロック装置３０がアッパー２０に仮組みされているとはいえ、同フードロック装置３０はアッパー２０に対して車幅方向にスライド移動可能になっている。
【００３４】
なお本実施形態では、一対の係合片２３，２４の間からの固定部３６，３７の脱落を抑えることと、係合片２３，２４に対する固定部３６，３７の相対移動を許容することとが共に満たされるように、係合片２３，２４や固定部３６，３７の形状が定められている。
【００３５】
次に、フードロック装置３０の組み付け位置の調整が行われる。具体的には、車両１０に固定されたアッパー２０にフードロック装置３０を仮組みした状態で、フード１２が閉じられる。
【００３６】
この場合には先ず、フードストライカー１３のフック部１３Ａがキャッチ３３のフック部３４Ａの上端面３４Ｂに突き当たる。フック部３４Ａの上端面３４Ｂは、突端に向かうに連れて下方側の位置になるように傾斜した傾斜面になっている。そのため、このときフードストライカー１３のフック部１３Ａによる押圧によって、キャッチ３３は正面視で反時計回り方向に回動するようになる。これにより、フードストライカー１３のフック部１３Ａは、キャッチ３３のフック部３４Ａを押し退けるようにして、ベース３１の切り欠き部３１Ａの内部に進入するようになる。
【００３７】
図５は、フードロック装置３０の仮組み位置が左側（図５の右側）にずれている場合における同フードロック装置３０のベース３１とフードストライカー１３のフック部１３Ａとの位置関係を示している。図５に示すように、この場合には、フードストライカー１３のフック部１３Ａがベース３１の切り欠き部３１Ａの内面のうちの右側（図５の左側）の面に当接するようになる。ここで、上述したようにフードロック装置３０は、アッパー２０に仮組みされている状態であっても、同アッパー２０に対して車幅方向に移動可能になっている。そのため、フードストライカー１３のフック部１３Ａが切り欠き部３１Ａの内面（詳しくは、右側の面）に当接することによって同面が押圧されると、図５中に黒塗りの矢印で示すように、フードロック装置３０がアッパー２０に対して右側に相対移動するようになる。一方、フードロック装置３０の仮組み位置が右側にずれている場合には、フードストライカー１３のフック部１３Ａが切り欠き部３１Ａの内面のうちの左側の面に当接して同内面が押圧されて、同フードロック装置３０がアッパー２０に対して左側に移動するようになる。他方、フードロック装置３０の仮組み位置が許容範囲内である場合には、フード１２を閉じたときに、フードロック装置３０はアッパー２０に対して相対移動しない。
【００３８】
このように、フードロック装置３０を仮組みした状態でフード１２を閉じることにより、同フードロック装置３０の車幅方向の位置が、上記ベース３１の切り欠き部３１Ａへの上記フードストライカー１３のフック部１３Ａのスムーズな進入を妨げることのない位置になる。
【００３９】
その後、フードロック装置３０がアッパー２０に固定される。具体的には、３本の固定用のボルト１５（図３）が、フードロック装置３０の各固定部３６，３７，３８の挿通孔３９に挿通されるとともに、アッパー２０の各ブラインドナット２２に螺合される。これにより、フードロック装置３０がアッパー２０に締結固定される。なお本実施形態では、ボルト１５によるフードロック装置３０の締結固定を、フード１２を閉状態でロックした状態のままで行うことが可能になっている。
【００４０】
本実施形態によれば、アッパー２０の一対の係合片２３，２４の間にフードロック装置３０の固定部３６，３７を嵌めるといった作業を通じて同フードロック装置３０をアッパー２０に仮組みすることができる。これにより、フードロック装置３０がアッパー２０に固定される前に、同フードロック装置３０がアッパー２０によって支持された状態にすることができる。しかも、この仮組み状態において、フードロック装置３０をアッパー２０に対して相対移動させるといった作業を通じて、同フードロック装置３０の車幅方向の位置を調節することもできる。このように本実施形態によれば、フードロック装置３０を仮組みする作業と位置調整する作業とを容易に行うことができるため、フードロック装置３０の組み付け作業を容易に行うことができる。
【００４１】
本実施形態では、ラジエータコアサポート１４のアッパー２０が合成樹脂材料によって形成されている。一般に、合成樹脂製のアッパー２０は、金属製のアッパーと比較して、製造誤差が大きくなり易い。そのため、そうした合成樹脂製のアッパー２０にフードロック装置３０が固定される本実施形態の組み付け構造では、同フードロック装置３０とフードストライカー１３との相対位置のずれが生じやすいと云える。本実施形態によれば、合成樹脂製のアッパー２０にフードロック装置３０が固定される組み付け構造において、フードロック装置３０の車幅方向の位置調節を行いつつ、同フードロック装置３０の組み付け作業を容易に行うことができる。
【００４２】
以上説明したように、本実施形態によれば、以下に記載する効果が得られる。
（１）フードロック装置３０を仮組みする作業と位置調整する作業とを容易に行うことができるため、フードロック装置３０の組み付け作業を容易に行うことができる。
【００４３】
（２）フードロック装置３０がアッパー２０に仮組みされたときに、同フードロック装置３０の両側部がアッパー２０によって支持されるため、フードロック装置３０をアッパー２０によって安定した状態で支持することができる。
【００４４】
（３）固定部３６，３７を一対の係合片２３，２４の間に嵌めるといった簡単な作業を通じて、アッパー２０とフードロック装置３０とが車幅方向に相対移動可能な態様で同フードロック装置３０をアッパー２０に仮組みすることができる。
【００４５】
（４）合成樹脂製のアッパー２０にフードロック装置３０が固定される組み付け構造において、フードロック装置３０の車幅方向の位置調節を行いつつ、同フードロック装置３０の組み付け作業を容易に行うことができる。
【００４６】
（第２実施形態）
以下、フードロック装置の組み付け構造の第２実施形態について、第１実施形態との相違点を中心に、図６および図７を参照して説明する。なお以下では、第１実施形態と同様の構成については同一の符号を付し、同構成についての詳細な説明は省略する。
【００４７】
本実施形態と第１実施形態とはアッパーの係合片の形状のみが異なる。
以下、本実施形態の係合片の形状について説明する。
図６および図７に示すように、アッパー４０の前面における上記右側固定部３６に対応する位置には、同右側固定部３６を間に挟むように一対の右側係合片４１が立設されている。また、アッパー４０の前面における上記左側固定部３７に対応する位置には、同左側固定部３７を間に挟むように一対の左側係合片４５が立設されている。
【００４８】
一対の右側係合片４１および一対の左側係合片４５は、前後方向および車幅方向に延びる板状をなすとともに、上下方向に間隔を置いて平行に延びている。また、一対の右側係合片４１および一対の左側係合片４５は、基端側（図７の左側）の部分における間隔が先端側（図７の右側）の部分における間隔よりも広くなるように、車幅方向において断面Ｓ字状で延びている。
【００４９】
一対の右側係合片４１の先端側の部分における間隔は右側固定部３６の上下方向の長さと略同一になっており、一対の左側係合片４５の先端側の部分における間隔は左側固定部３７の上下方向の長さと略同一になっている。一対の右側係合片４１や一対の左側係合片４５では、上方側の係合片４１，４５よりも下方側の係合片４１，４５が厚くなっている。また、一対の右側係合片４１の並び方向における外方側の面や一対の左側係合片４５の並び方向における外方側の面には、前後方向および上下方向に延びる板状の複数のリブ４６が一体形成されている。
【００５０】
また、一対の右側係合片４１の突端における各対向面、および一対の左側係合片４５の突端における各対向面にはそれぞれ、車幅方向に延びる凸部（引っ掛け部４７）が設けられている。図７に示すように、各引っ掛け部４７の基端側（図７の左側）の端部は、基端側の部分よりも先端側（図７の右側）の部分が突出した段差状をなしている。また、各引っ掛け部４７の突端面４７Ａは先端側に向かうに連れて同引っ掛け部４７の突出量が小さくなるように傾斜した傾斜面になっている。
【００５１】
なお本実施形態では、右側固定部３６、右側係合片４１、左側固定部３７、および左側係合片４５が、嵌合力を利用してフードロック装置３０をアッパー４０に仮組みする仮組み部に相当する。
【００５２】
以上説明した本実施形態によれば、先の（１）〜（４）に記載した効果と同様の効果に加えて、以下の（５）に記載する作用効果が得られるようになる。
（５）本実施形態では、一対の右側係合片４１や一対の左側係合片４５として、車幅方向において断面Ｓ字状で延びるものが設けられている。そのため、係合片として平板状のものが設けられる場合と比較して、係合片４１，４５における撓む部分を長くすることができ、それら係合片４１，４５を撓み易くすることができる。したがって、フードロック装置３０の仮組みに際して、一対の係合片４１，４５を押し開くようにして係合片４１，４５の間に固定部３６，３７を嵌める場合に、同固定部３６，３７を嵌める作業をスムーズに行うことができる。
【００５３】
（第３実施形態）
以下、フードロック装置の組み付け構造の第３実施形態について、第１実施形態との相違点を中心に、図８および図９を参照して説明する。なお以下では、第１実施形態と同様の構成については同一の符号を付し、同構成についての詳細な説明は省略する。
【００５４】
本実施形態と第１実施形態とは、フードロック装置の右側固定部および左側固定部の形状が異なる。
以下、本実施形態の右側固定部および左側固定部の形状について説明する。
【００５５】
図８および図９に示すように、フードロック装置５０のベース３１の右側部には右側に突出する右側固定部５１が設けられており、ベース３１の左側部には左側に突出する左側固定部５２が設けられている。右側固定部５１および左側固定部５２は、車幅方向に延びる板状をなしている。詳しくは、右側固定部５１および左側固定部５２は、上下方向に平板状で延びるベース壁５３と、同ベース壁５３の上端から前方に向けて立設される上壁５４と、ベース壁５３の下端から前方に向けて立設される下壁５５とが一体に形成された形状をなしている。右側固定部５１や左側固定部５２におけるベース壁５３と上壁５４との境界部分や同ベース壁５３と下壁５５との境界部分は、湾曲した形状になっている。これにより、各固定部５１，５２のアッパー２０に近い側（図７の左側）の端面における上方側の部分と下方側の部分とが、同アッパー２０から離間する側に湾曲した面になっている。
【００５６】
なお本実施形態では、右側固定部５１、右側係合片２３、左側固定部５２、および左側係合片２４が、嵌合力を利用してフードロック装置５０をアッパー２０に仮組みする仮組み部に相当する。
【００５７】
以上説明した本実施形態によれば、先の（１）〜（４）に記載した効果と同様の効果に加えて、以下の（６）に記載する作用効果が得られるようになる。
（６）フードロック装置５０を仮組みする際には、一対の係合片２３，２４を押し開くように弾性変形させつつ、それら係合片２３，２４の間に固定部５１，５２が押し込まれる。このとき図９中に白抜きの矢印で示すように、上方側の係合片２３，２４が上方に弾性変形するとともに下方側の係合片２３，２４が下方に弾性変形するようになる。本実施形態では、固定部５１，５２のアッパー２０に近い側の端面における上方側の部分と下方側の部分とが、同アッパー２０から離間する側に湾曲した面になっている。そのため、このとき一対の係合片２３，２４の内面（詳しくは、引っ掛け部２６の突端面２６Ａ）には固定部５１，５２の上下端の湾曲面が当接するようになる。これにより、固定部５１，５２の上端や下端が係合片２３，２４の内面に引っ掛かり難くなるため、一対の係合片２３，２４の間に固定部５１，５２を嵌める作業をスムーズに行うことができる。
【００５８】
（第４実施形態）
以下、フードロック装置の組み付け構造の第４実施形態について、第１実施形態との相違点を中心に、図１０〜図１３を参照して説明する。なお以下では、第１実施形態と同様の構成については同一の符号を付し、同構成についての詳細な説明は省略する。
【００５９】
本実施形態と第１実施形態とは、フードロック装置の右側固定部および左側固定部の形状とアッパーの係合片の形状とが異なる。
以下、本実施形態の固定部や係合片の形状について説明する。
【００６０】
ここでは先ず、本実施形態の右側固定部および左側固定部について説明する。
図１０〜図１３に示すように、フードロック装置６０のベース３１の右側部には右側に突出する右側固定部６１が設けられており、ベース３１の左側部には左側に突出する左側固定部６２が設けられている。右側固定部６１および左側固定部６２は、車幅方向に延びる板状をなしている。詳しくは、右側固定部６１および左側固定部６２は、上下方向に延びる平板状のベース壁６３と、同ベース壁６３の上端から後方に向けて立設される上部アーム６４と、ベース壁６３の下端から後方に向けて立設される下部アーム６５とを有している。上部アーム６４および下部アーム６５は、車幅方向および前後方向に延びる板状をなして平行に延びている。上部アーム６４および下部アーム６５には、車幅方向に延びる長穴状の貫通孔（係合孔６６）が設けられている。
【００６１】
次に、本実施形態のアッパー７０の右側係合片７１、左側係合片７２およびその周辺構造について説明する。
アッパー７０における上記右側固定部６１の各アーム６４，６５に対応する位置には、車幅方向に延びる貫通孔（スリット７３）が形成されている。また、アッパー７０における上記左側固定部６２の各アーム６４，６５に対応する位置にも、車幅方向に延びる貫通孔（スリット７３）が形成されている。各スリット７３の幅は各アーム６４，６５の厚さよりも若干大きくなっており、各スリット７３の長さは各アーム６４，６５の車幅方向における長さよりも長くなっている。そして、フードロック装置６０をアッパー７０に組み付ける際には、これらスリット７３に固定部６１，６２の各アーム６４，６５が挿入される。
【００６２】
アッパー７０の後面における上記右側固定部６１に対応する位置には、一対の右側係合片７１が、同右側固定部６１の上部アーム６４の上面と下部アーム６５の下面とを間に挟むように立設されている。また、アッパー７０の後面における上記左側固定部６２に対応する位置には、一対の左側係合片７２が、同左側固定部６２の上部アーム６４の上面と下部アーム６５の下面とを間に挟むように立設されている。
【００６３】
一対の右側係合片７１および一対の左側係合片７２は、前後方向および車幅方向に延びる略平板状をなして平行に延びている。一対の右側係合片７１の対向面の間隔は、右側固定部６１の上部アーム６４の上面および下部アーム６５の下面の間隔と略同一になっている。また、一対の左側係合片７２の対向面の間隔は、左側固定部６２の上部アーム６４の上面および下部アーム６５の下面の間隔と略同一になっている。一対の右側係合片７１および一対の左側係合片７２は、コの字状で延びる貫通孔７４（図１１）によって３方向（後方側、右側、左側）が囲まれた部分であるバネ部７５を有している。このバネ部７５は、その周縁部分に対して上下方向に揺動する態様で弾性変形可能になっている。各バネ部７５における前記係合孔６６に対向する位置にはそれぞれ、略半球状で突出する係合突起７６（図１１参照）が設けられている。
【００６４】
なお本実施形態では、右側固定部６１、右側係合片７１、左側固定部６２、および左側係合片７２が、嵌合力を利用してフードロック装置６０をアッパー７０に仮組みする仮組み部に相当する。
【００６５】
以下、フードロック装置６０をアッパー７０に仮組みする作業について、その作用効果とともに詳細に説明する。
図１３に示すように、フードロック装置６０をアッパー７０に仮組みする際には、各固定部６１，６２の上部アーム６４および下部アーム６５が、アッパー７０のスリット７３に挿入される。これにより、図１３中に白抜きの矢印で示すように、一対の係合片７１，７２（詳しくは、そのバネ部７５）を押し開くように弾性変形させつつ、それら係合片７１，７２の間に固定部６１，６２が押し込まれる。このときには上方側の係合片７１，７２のバネ部７５が上方に弾性変形するとともに下方側の係合片７１，７２のバネ部７５が下方に弾性変形するようになる。そして、固定部６１，６２の各アーム６４，６５の係合孔６６がバネ部７５の係合突起７６に対応する位置になると、バネ部７５が弾性変形から復元して、バネ部７５の係合突起７６が各アーム６４，６５の係合孔６６に嵌まった状態（図１３に示す状態）になる。
【００６６】
これにより、一対の係合片７１，７２によって固定部６１，６２（詳しくは、各アーム６４，６５）が挟持された状態になるとともに、各アーム６４，６５の係合孔６６にバネ部７５の係合突起７６が嵌まった状態になる。したがって、固定部６１，６２が係合片７１，７２の間から外れて脱落することが抑えられる状態になる。
【００６７】
このように本実施形態によれば、固定部６１，６２の各アーム６４，６５を一対の係合片７１，７２の間に嵌めるといった簡単な作業を通じて、フードロック装置６０をアッパー７０に仮組みすることができる。
【００６８】
図１０および図１２に示すように、本実施形態では、スリット７３の長さが各アーム６４，６５の車幅方向の長さよりも長くなっているため、スリット７３内部において各アーム６４，６５が車幅方向に相対移動可能になっている。また、各アーム部３４の係合孔６６が車幅方向に延びる長穴状になっているため、各アーム６４，６５の係合孔６６内においてバネ部７５の係合突起７６が車幅方向において相対移動可能になっている。したがって、このときフードロック装置６０がアッパー７０に仮組みされているとはいえ、同フードロック装置６０はアッパー７０に対して車幅方向にスライド移動可能になっている。
【００６９】
本実施形態では、係合片７１，７２の間からの固定部６１，６２の脱落を抑えることと係合片７１，７２に対する固定部６１，６２の相対移動を許容することとが共に満たされるように、係合片７１，７２やスリット７３、固定部６１，６２の形状が定められている。
【００７０】
また本実施形態では、固定部６１，６２が、上方側において前後方向に延びる上部アーム６４と、下方側において前後方向に延びる下部アーム６５と、上部アーム６４および下部アーム６５を繋ぐように上下方向に延びるベース壁６３とを有している。また、係合片７１，７２が、前後方向および車幅方向に延びる略平板状をなして平行に延びるとともに、固定部６１，６２の上部アーム６４の上面と下部アーム６５の下面とを間に挟むように立設されている。そのため、図１３に示すように、固定部６１，６２の外面（詳しくは、上部アーム６４の上面、下部アーム６５の下面）と一対の係合片７１，７２の内面とが面接触する構造にすることができる。これにより、一対の係合片７１，７２によって固定部６１，６２を安定した状態で支持することができる。
【００７１】
以上説明した本実施形態によれば、先の（１）〜（４）に記載した効果と同様の効果に加えて、以下の（７）に記載する効果が得られるようになる。
（７）固定部６１，６２の外面と一対の係合片７１，７２の内面とが面接触する構造にすることができるため、一対の係合片７１，７２によって固定部６１，６２を安定した状態で支持することができる。
【００７２】
（第５実施形態）
以下、フードロック装置の組み付け構造の第５実施形態について、第１との相違点を中心に、図１４〜図１６を参照して説明する。なお以下では、第１実施形態と同様の構成については同一の符号を付し、同構成についての詳細な説明は省略する。
【００７３】
本実施形態と第１実施形態とは、フードロック装置の右側固定部および左側固定部の形状やアッパーの形状が異なる。
以下、本実施形態の右側固定部および左側固定部の形状やアッパーの形状について説明する。
【００７４】
ここでは先ず、本実施形態の右側固定部および左側固定部の形状について説明する。
図１４〜図１６に示すように、フードロック装置８０のベース３１の右側部には右側に突出する右側固定部８１が設けられており、ベース３１の左側部には左側に突出する左側固定部８２が設けられている。
【００７５】
これら右側固定部８１および左側固定部８２は、車幅方向および上下方向に延びる平板状のベース壁８３と、ベース壁８３の上端に突設される下部アーム８４および上部アーム８５とを有している。下部アーム８４は、ベース壁８３の上端から後方に向けて突設されており、車幅方向および前後方向に延びる板状をしている。下部アーム８４の突端部分は下方に向けて曲がっている。また、下部アーム８４には四角形状の貫通孔（係合孔８４Ａ）が設けられている。上部アーム８５は、ベース壁８３の上端における上記下部アーム８４を間に挟む位置にそれぞれ設けられている。これら上部アーム８５はＬ字板状をなしている。詳しくは、上部アーム８５の基端部分は車幅方向および上下方向に延びる板状をなしており、上部アーム８５の先端部分は同基端部分の上端から後方に向けて突出して車幅方向および前後方向に延びる板状をなしている。上部アーム８５の先端部分は、下部アーム８４よりも上方において延びている。上部アーム８５の突端部分は上方に向けて曲がっている。
【００７６】
次に、本実施形態のアッパー９０の形状について説明する。
アッパー９０は、上下方向および車幅方向に延びる板状の立壁部９１と、前後方向および車幅方向に延びる板状をなして同立壁部９１の上端から後方に向けて突設される上壁部９２とを有している。上壁部９２の下面における前記下部アーム８４の係合孔８４Ａに対向する位置には、四角形状の係合突起９２Ａが突設されている。この係合突起９２Ａの車幅方向の長さは、下部アーム８４の係合孔８４Ａの車幅方向の長さよりも短くなっている。
【００７７】
アッパー９０の立壁部９１における上記右側固定部８１の下部アーム８４に対応する位置には、車幅方向に延びる貫通孔（スリット９３）が設けられている。また、アッパー９０の立壁部９１における上記左側固定部８２の下部アーム８４に対応する位置にも、車幅方向に延びる貫通孔（スリット９３）が設けられている。これらスリット９３は立壁部９１の下面に沿って延びている。スリット９３の幅は各下部アーム８４の厚さよりも大きくなっており、同スリット９３の長さは下部アーム８４の車幅方向の長さよりも長くなっている。そして、フードロック装置８０をアッパー９０に組み付ける際には、各スリット９３に固定部８１，８２の下部アーム８４が挿入される。なお本実施形態では、上部アーム８５および下部アーム８４が一対の係合片に相当し、上壁部９２が係合部に相当し、右側固定部８１、左側固定部８２、および上壁部９２が、嵌合力を利用してフードロック装置８０をアッパー９０に仮組みする仮組み部に相当する。
【００７８】
以下、フードロック装置８０をアッパー９０に仮組みする作業について、その作用効果とともに説明する。
図１６に示すように、フードロック装置８０をアッパー９０に仮組みする際には、各固定部８１，８２の上部アーム８５が上壁部９２の上面に沿って移動する態様で、各固定部８１，８２の下部アーム８４がスリット９３に挿入される。これにより、図１６中に白抜きの矢印で示すように、上部アーム８５および下部アーム８４を押し開くように弾性変形させつつ、それらアーム８４，８５の間に上壁部９２が押し込まれる。このときには上部アーム８５が上方に弾性変形するとともに下部アーム８４が下方に弾性変形するようになる。そして、下部アーム８４の係合孔８４Ａが上壁部９２下面の係合突起７６に対向する位置になると、上壁部９２の係合突起９２Ａが下部アーム８４の係合孔６６に嵌まった状態（図１６に示す状態）になる。これにより、下部アーム８４と上部アーム８５との間に上壁部９２が挟持された状態になるとともに、下部アーム８４の係合孔８４Ａに上壁部９２の係合突起７６が嵌まった状態になる。したがって、固定部８１，８２がアッパー９０（上壁部９２）から外れて脱落することが抑えられる状態になる。
【００７９】
このように本実施形態によれば、固定部８１，８２の各アーム８４，８５をアッパー９０（詳しくは、スリット９３や上壁部９２）に嵌めるといった簡単な作業を通じて、フードロック装置８０をアッパー９０に仮組みすることができる。
【００８０】
本実施形態では、スリット９３の長さが下部アーム８４の車幅方向の長さよりも長くなっているため、同スリット９３内部において下部アーム８４が車幅方向に相対移動可能になっている。また、下部アーム８４の係合孔８４Ａの車幅方向における長さが上壁部９２の係合突起９２Ａの車幅方向における長さよりも長くなっているため、同下部アーム８４の係合孔８４Ａ内部において上壁部９２の係合突起９２Ａが車幅方向において相対移動可能になっている。そのため、このときフードロック装置８０はアッパー９０に仮組みされているとはいえ、同アッパー９０に対して車幅方向にスライド移動可能になっている。
【００８１】
本実施形態では、アッパー９０からの固定部８１，８２の脱落を抑えることと、アッパー９０に対する固定部８１，８２の相対移動を許容することとが共に満たされるように、アーム８４，８５やスリット９３、上壁部９２の形状が定められている。
【００８２】
また本実施形態では、固定部８１，８２の下部アーム８４と上部アーム８５の先端部分とアッパー９０の上壁部９２とが、いずれも車幅方向および前後方向に延びる板状をなしている。そして、フードロック装置８０がアッパー９０に仮組みされると、下部アーム８４と上部アーム８５との間に上壁部９２が挟み込まれた状態になる。そのため、固定部８１，８２の各アーム８４，８５の内面（詳しくは、上部アーム８５の下面、下部アーム８４の上面）と上壁部９２の外面とが面接触する構造にすることが可能になる。本実施形態では、下部アーム８４の上面と上壁部９２の下面とが面接触している。これにより、アッパー９０によって各固定部８１，８２を安定した状態で支持することができる。
【００８３】
以上説明した本実施形態によれば、先の（１）〜（４）に記載した効果と同様の効果に加えて、以下の（８）に記載する作用効果が得られるようになる。
（８）固定部８１，８２の下部アーム８４の上面とアッパー９０の上壁部９２の下面とが面接触する構造にすることができるため、アッパー９０によって固定部８１，８２を安定した状態で支持することができる。
【００８４】
（第６実施形態）
以下、フードロック装置の組み付け構造の第６実施形態について、第１実施形態との相違点を中心に、図１７および図１８を参照して説明する。なお以下では、第１実施形態と同様の構成については同一の符号を付し、同構成についての詳細な説明は省略する。
【００８５】
本実施形態と第１実施形態とはアッパーの形状のみが異なる。
以下、本実施形態のアッパーの形状について説明する。
図１７および図１８に示すように、アッパー１００の前面における前記右側固定部３６に対応する位置には、同右側固定部３６を収容する右側ポケット１０１が立設されている。この右側ポケット１０１は、下側において車幅方向および前後方向に延びる板状の底壁１０２と、右側において上下方向および前後方向に延びる板状の右壁１０３と、前側において車幅方向および上下方向に延びる板状の前壁１０４とによって構成されている。
【００８６】
また、アッパー１００の前面における前記左側固定部３７に対応する位置には、同左側固定部３７を収容する左側ポケット１０５が設けられている。左側ポケット１０５は、下側において車幅方向および前後方向に延びる板状の底壁１０６と、左側において上下方向および前後方向に延びる板状の左壁１０７と、前側において車幅方向および上下方向に延びる板状の前壁１０８とによって構成されている。
【００８７】
右側ポケット１０１の右壁１０３と左側ポケット１０５の左壁１０７との間隔は、右側固定部３６の右端と左側固定部３７の左端との間隔よりも長くなっている。右側ポケット１０１の前壁１０４と右側ポケット１０１の前壁１０８とにはそれぞれ、略長方形状の貫通孔（挿通孔１０９）が形成されている。これら挿通孔１０９は、アッパー１００のブラインドナット２２の前方にあたる位置に設けられている。また、各ポケット１０１，１０５の前壁１０４，１０８の前面における挿通孔１０９の周縁は、同挿通孔１０９の開口を上底とする略四角錘台状で窪んだ凹部１０９Ａになっている。
【００８８】
アッパー１００の前面における右側ポケット１０１の上方と左側ポケット１０５の上方とにはそれぞれ、係合突起１００Ａが突設されている。各係合突起１００Ａの下面は車幅方向および前後方向に延びる平面になっており、各係合突起１００Ａの頂面は下方に向かうに連れて同係合突起１００Ａの突出量が大きくなるように傾斜した傾斜面になっている。右側ポケット１０１の底壁１０２とその上方の係合突起１００Ａの下面との間隔は右側固定部３６の上下方向の長さよりも長くなっている。また、左側ポケット１０５の底壁１０６とその上方の係合突起１００Ａの下面との間隔は左側固定部３７の上下方向の長さよりも長くなっている。
【００８９】
なお本実施形態では、右側固定部３６、右側ポケット１０１、左側固定部３７、および左側ポケット１０５が、嵌合力を利用してフードロック装置３０をアッパー１００に仮組みする仮組み部に相当する。
【００９０】
以下、フードロック装置３０をアッパー１００に組み付ける一連の作業について、その作用効果とともに詳細に説明する。
フードロック装置３０をアッパー１００に仮組みする際には、右側ポケット１０１の内部に上方から右側固定部３６が嵌められるとともに、左側ポケット１０５の内部に上方から左側固定部３７が嵌められる。
【００９１】
このときには各固定部３６，３７の後面が係合突起１００Ａに当接してしまう。とはいえ、係合突起１００Ａの突端面が下方に向かうほど同係合突起１００Ａの突出量が大きくなるように傾斜した傾斜面になっている。これにより、各固定部３６，３７の後面が係合突起１００Ａに引っ掛かり難い構造になっているため、固定部３６，３７を各ポケット１０１，１０５にスムーズに嵌めることができる。
【００９２】
また、各ポケット１０１，１０５の内部に各固定部３６，３７を嵌める際には、ポケット１０１，１０５の前壁１０４，１０８が前方に倒れるように弾性変形するようになる。そして、固定部３６，３７の上端が係合突起１００Ａを通過すると、前壁１０４，１０８が弾性変形から復元し、同前壁１０４，１０８の内面によって固定部３６、３７が後方に押圧されるようになる。これにより、各固定部３６，３７は、アッパー１００の前面（詳しくは、ブラインドナット２２の前面）と各ポケット１０１，１０５の内面との間に挟持された状態、すなわち各ポケット１０１，１０５の内部に嵌まった状態になる。したがって、固定部３６，３７が各ポケット１０１，１０５内部から外れて脱落することが抑えられる状態になる。なお、仮にフードロック装置３０が上方にずれた場合であっても、固定部３６，３７の上端が係合突起１００Ａの下面に突き当たるようになるため、同フードロック装置３０がアッパー１００から脱落することが抑えられる。
【００９３】
このように本実施形態によれば、固定部３６，３７を各ポケット１０１，１０５の内部に嵌めるといった簡単な作業を通じて、フードロック装置３０をアッパー１００に仮組みすることができる。
【００９４】
また本実施形態では、右側ポケット１０１の右壁１０３と左側ポケット１０５の左壁１０７との間隔が右側固定部３６の右端と左側固定部３７の左端との間隔よりも長くなっている。これにより、各ポケット１０１，１０５の内部において固定部３６，３７が車幅方向に相対移動可能になっている。したがって、このときフードロック装置３０がアッパー１００に仮組みされているとはいえ、同フードロック装置３０はアッパー１００に対して車幅方向にスライド移動可能になっている。
【００９５】
本実施形態では、ポケット１０１，１０５内からの固定部３６，３７の脱出を抑えることとポケット１０１，１０５に対する固定部３６，３７の相対移動を許容することとが共に満たされるように、ポケット１０１，１０５や係合突起１００Ａの形状が定められている。
【００９６】
フードロック装置３０をアッパー１００に組み付ける作業では、次に、車両１０に固定されたアッパー１００にフードロック装置３０を仮組みした状態でフード１２を閉じることによって、フードロック装置３０の組み付け位置の調整が行われる。
【００９７】
その後、フードロック装置３０がアッパー１００に固定される。詳しくは、固定用のボルトが、フードロック装置３０の下側固定部３８の挿通孔３９に挿通されるとともに、アッパー１００のブラインドナット２２に螺合される。また、別のボルトが、右側ポケット１０１の前壁１０４の挿通孔１０９と右側固定部３６の挿通孔３９とに挿通されるとともに、アッパー１００のブラインドナット２２に挿通される。さらに、別のボルトが、左側ポケット１０５の前壁１０４の挿通孔１０９と左側固定部３７の挿通孔３９とに挿通されるとともに、アッパー１００のブラインドナット２２に挿通される。
【００９８】
本実施形態では、各ポケット１０１，１０５の前壁１０４，１０８の前面における挿通孔１０９の周縁が、同挿通孔１０９の開口を上底とする略四角錘台状で窪んだ凹部１０９Ａになっている。そのため、前壁１０４，１０８の挿通孔１０９にボルトを挿通する際に、同ボルトの先端が凹部１０９Ａの内面によって挿通孔１０９の開口に案内されるようになる。したがって、ボルト締結によってフードロック装置３０をアッパー１００に固定する作業を容易に行うことができる。
【００９９】
以上説明した本実施形態によれば、先の（１）〜（４）に記載した効果と同様の効果が得られるようになる。
（第７実施形態）
以下、フードロック装置の組み付け構造の第７実施形態について、第１実施形態との相違点を中心に、図１９および図２０を参照して説明する。なお以下では、第１実施形態と同様の構成については同一の符号を付し、同構成についての詳細な説明は省略する。
【０１００】
本実施形態と第１実施形態とはアッパーの形状のみが異なる。
以下、本実施形態のアッパーの形状について説明する。
図１９および図２０に示すように、アッパー１１０の前面におけるフードロック装置３０に対応する位置には、一対の側壁（右側壁１１１および左側壁１１２）とそれら側壁１１１，１１２を繋ぐ前壁１１３とによって構成された門型の係合部１１４が突設されている。なお本実施形態では、この係合部１１４が、嵌合力を利用してフードロック装置３０をアッパー１１０に仮組みする仮組み部に相当する。
【０１０１】
右側壁１１１は、フードロック装置３０のベース３１よりも右側の位置であって且つ右側固定部３６よりも下方側の位置で前後方向に延びている。また左側壁１１２は、フードロック装置３０のベース３１よりも左側の位置であって且つ左側固定部３７よりも下方側の位置で前後方向に延びている。これら右側壁１１１および左側壁１１２の車幅方向における間隔は、フードロック装置３０のベース３１の車幅方向における長さよりも長くなっている。そのため、フードロック装置３０を仮組みするべくアッパー１１０の係合部１１４内に嵌めたときには、フードロック装置３０のベース３１の外面と上記係合部１１４の両側壁１１１，１１２の内面との間に間隙が形成されるようになる。本実施形態では、フードロック装置３０の仮組み時においても、上記間隙の分だけ、アッパー１１０に対するフードロック装置３０の車幅方向への相対移動が可能になっている。
【０１０２】
前壁１１３は、両側壁１１１，１１２の突端同士を連結するように車幅方向に延びている。アッパー１１０の係合部１１４にフードロック装置３０が嵌められると、前壁１１３の右側部分の後面と左側部分の後面とがフードロック装置３０のベース３１の前面に接触した状態になる。本実施形態では、こうした前壁１１３の後面とフードロック装置３０のベース３１の前面との接触を通じて、仮組み時における同フードロック装置３０の前後方向への移動が規制される。
【０１０３】
アッパー１１０は、フードロック装置３０の下方において前後方向および車幅方向に延びる板状の底壁部１１５を有している。この底壁部１１５の配設位置は、フードロック装置３０が正規の位置に組み付けられたときに同フードロック装置３０の下側固定部３８の端部が当接するようになる位置になっている。本実施形態では、フードロック装置３０の仮組みに際して同フードロック装置３０の下側固定部３８をアッパー１１０の底壁部１１５に当接させることにより、フードロック装置３０の上下方向の位置が定められる。
【０１０４】
本実施形態では、フードロック装置３０をアッパー１１０に仮組みする作業が、係合部１１４の内部に上方からフードロック装置３０を挿入するといったように行われる。
この仮組みにかかる作業に際しては、フードロック装置３０の下側固定部３８の端部をアッパー１１０の底壁部１１５に当接させるといった容易な作業によって、フードロック装置３０の上下方向の位置を定めることができる。また、フードロック装置３０が仮組みされると、前壁１１３の後面とフードロック装置３０のベース３１の前面とが接触するようになるため、その接触を通じて同フードロック装置３０の前後方向への移動が規制されるようになる。さらに、係合部１１４の両側壁１１１，１１２の車幅方向における間隔がフードロック装置３０のベース３１の車幅方向における長さよりも大きくなっている。そのため、フードロック装置３０の仮組み時においても、上記ベース３１の外面と上記係合部１１４の両側壁１１１，１１２の内面との間に形成される間隙の分だけ、アッパー１１０に対するフードロック装置３０の車幅方向への相対移動が可能になる。
【０１０５】
本実施形態では、係合部１１４内からのフードロック装置３０の脱出を抑えることと、係合部１１４に対するフードロック装置３０の相対移動を許容することとが共に満たされるように、係合部１１４の形状が定められている。
【０１０６】
このように本実施形態によれば、フードロック装置３０を上方から係合部１１４の内部に嵌めるといった簡単な作業を通じて、フードロック装置３０をアッパー１１０に仮組みすることができる。
【０１０７】
以上説明した本実施形態によれば、先の（１）〜（４）に記載した効果と同様の効果が得られるようになる。
（第８実施形態）
以下、フードロック装置の組み付け構造の第８実施形態について、第１実施形態との相違点を中心に、図２１〜図２３を参照して説明する。なお以下では、第１実施形態と同様の構成については同一の符号を付し、同構成についての詳細な説明は省略する。
【０１０８】
本実施形態と第１実施形態とは、フードロック装置の右側固定部および左側固定部の形状とアッパーの形状とが異なる。
以下、本実施形態の右側固定部および左側固定部やアッパーの形状について説明する。
【０１０９】
ここでは先ず、本実施形態の右側固定部および左側固定部について説明する。
図２１〜図２３に示すように、フードロック装置１２０は、右側固定部３６の下端から下方に向けて突出する態様で同右側固定部３６に一体形成された右側係合片１２１を備えている。またフードロック装置１２０は、左側固定部３７の下端から下方に向けて突出する態様で同左側固定部３７に一体形成された左側係合片１２２を備えている。これら係合片１２１，１２２は、車幅方向および上下方向に延びる略矩形平板状をなしている。また各係合片１２１，１２２の前面には、粗面加工（本実施形態ではローレット加工）が施されている。
【０１１０】
次に、本実施形態のアッパー１３０の形状について説明する。
アッパー１３０の前面には、右側係合片１２１を収容する右側ポケット部１３１と、左側係合片１２２を収容する左側ポケット部１３２とが突設されている。各ポケット部１３１，１３２は、底壁１３３、右壁１３４、左壁１３５、および前壁１３６によって構成される。底壁１３３は各ポケット部１３１，１３２の下側において車幅方向および前後方向に延びる板状をなしており、右壁１３４は各ポケット部１３１，１３２の右側において上下方向および前後方向に延びる板状をなしている。また、左壁１３５は各ポケット部１３１，１３２の左側において上下方向および前後方向に延びる板状をなしており、前壁１３６は各ポケット部１３１，１３２の前側において車幅方向および上下方向に延びる板状をなしている。
【０１１１】
以下、フードロック装置１２０をアッパー１３０に仮組みする作業について、その作用効果とともに説明する。
フードロック装置１２０をアッパー１３０に仮組みする際には、右側固定部３６と一体の右側係合片１２１が上方から右側ポケット部１３１の内部に嵌められるとともに、左側固定部３７と一体の左側係合片１２２が上方から左側ポケット部１３２の内部に嵌められる。
【０１１２】
これにより、フードロック装置１２０の後面（詳しくは、右側固定部３６の後面、左側固定部３７の後面、および下側固定部３８の後面）がそれぞれアッパー１３０のブラインドナット２２の前面に押し付けられた状態になる。また、フードロック装置１２０の前面（詳しくは、右側係合片１２１の前面、および左側係合片１２２の前面）が各ポケット部１３１，１３２の前壁１３６の後面に押し付けられた状態になる。そのため、このときにはフードロック装置１２０が、アッパー１３０の前面（ブラインドナット２２の前面）と各ポケット部１３１，１３２の前壁１３６の後面との間に挟持された状態になる。
【０１１３】
したがって、係合片１２１，１２２がポケット部１３１，１３２から脱出すること、ひいてはフードロック装置１２０がアッパー１３０から脱落することが抑えられるようになる。また本実施形態では、図２３（ａ）および図２３（ｂ）に示すように、係合片１２１，１２２の前面、すなわちポケット部１３１，１３２の前壁１３６の後面に接触する面に粗面加工が施されている。これにより、係合片１２１，１２２の前面が平滑な面になっている場合と比較して、係合片１２１，１２２がポケット部１３１，１３２から脱出し難い構造になっている。
【０１１４】
このように本実施形態によれば、各固定部３６，３７と一体の係合片１２１，１２２を上方からポケット部１３１，１３２内に嵌めるといった簡単な作業を通じて、フードロック装置１２０をアッパー１３０に仮組みすることができる。
【０１１５】
なお本実施形態では、右側係合片１２１、右側ポケット部１３１、左側係合片１２２、および左側ポケット部１３２が、嵌合力を利用してフードロック装置１２０をアッパー１３０に仮組みする仮組み部に相当する。
【０１１６】
また本実施形態では、各ポケット部１３１，１３２における右壁１３４と左壁１３５との間隔が、係合片１２１，１２２の車幅方向の長さよりも長くなっている。これにより、ポケット部１３１，１３２の内部において係合片１２１，１２２が車幅方向に相対移動可能になっている。そのため、このときフードロック装置１２０がアッパー１３０に仮組みされているとはいえ、同フードロック装置１２０はアッパー１３０に対して車幅方向にスライド移動可能になっている。
【０１１７】
本実施形態では、ポケット部１３１，１３２内からの係合片１２１，１２２の脱出を抑えることとポケット部１３１，１３２内における係合片１２１，１２２の移動を許容することとが共に満たされるように、係合片１２１，１２２やポケット部１３１，１３２の形状が定められている。
【０１１８】
以上説明した本実施形態によれば、先の（１）〜（４）に記載した効果と同様の効果が得られるようになる。
（他の実施形態）
なお、上記各実施形態は、以下のように変更して実施してもよい。
【０１１９】
・各実施形態において、フードロック装置の位置調整を、アッパーにフードロック装置を仮組みした状態でフードを閉じることによって行うことに限らず、任意の作業で行うことができる。例えば、フードストライカーとフードロック装置との相対位置を目視で確認しながら同フードロック装置を作業者が手で移動させるといったように、フードロック装置の位置調整を行うようにしてもよい。
【０１２０】
・第２実施形態において、一対の右側係合片４１および一対の左側係合片４５を、車幅方向において断面波形状で延設したり、断面クランク形状で延設したり、断面矩形波形状で延設したりしてもよい。こうした構成によっても、係合片として平板状のものが設けられる場合と比較して、係合片４１，４５における撓む部分を長くすることができ、それら係合片４１，４５を撓み易くすることができる。
【０１２１】
・第１〜第３実施形態における一対の右側係合片および一対の左側係合片において、上方側の係合片の厚さと下方側の係合片の厚さとを同一にしたり、上方側の係合片よりも下方側の係合片を薄くしたりしてもよい。
【０１２２】
・第１〜第６実施形態、および第８実施形態のいずれかにおいて、フードロック装置の右側および左側の一方のみに仮組み部を設けるようにしてもよい。この場合には、フードロック装置の両側方における仮組み部が設けられない側の部分に、フードロック装置の固定部を下方から支持する支持部を設ける等、フードロック装置の固定部を支持するための支持部材を設けることが好ましい。こうした構成によれば、フードロック装置の仮組み時において、自重やフード閉時の衝撃によって、フードロック装置の両側方における仮組み部が設けられない側の部分が下方に下がるように同フードロック装置が傾くことが抑えられるようになる。
【０１２３】
・フードロック装置の右側に第１実施形態の仮組み部を設けるとともに左側に第２実施形態の仮組み部を設けるなど、フードロック装置の両側の仮組み部を第１〜第６実施形態、および第８実施形態のうちの異なる実施形態にかかる仮組み部にしてもよい。
【０１２４】
・上記各実施形態の組み付け構造は、ラジエータコアサポートのアッパーに介設部材（専用のブラケットなど）を介して固定されるフードロック装置にも適用することができる。この場合には、介設部材が組み付け部に相当する。
【０１２５】
・金属製のアッパーに固定されるフードロック装置にも、上記各実施形態の組み付け構造は適用可能である。
・上記各実施形態の組み付け構造は、車両本体におけるラジエータコアサポート以外の部分（例えば、クロスメンバ）に固定されるフードロック装置にも適用することができる。
【符号の説明】
【０１２６】
１０…車両、１１…エンジンルーム、１２…フード、１３…フードストライカー、１３Ａ…フック部、１４…ラジエータコアサポート、１５…ボルト、２０…アッパー、２１…貫通孔、２２…ブラインドナット、２３…右側係合片、２４…左側係合片、２５…リブ、２６…引っ掛け部、２６Ａ…突端面、３０…フードロック装置、３１…ベース、３１Ａ…切り欠き部、３２…ラッチ、３２Ａ…切り欠き部、３３…キャッチ、３４…アーム部、３４Ａ…フック部、３４Ｂ…上端面、３５…レバー部、３６…右側固定部、３７…左側固定部、３８…下側固定部、３９…挿通孔、４０…アッパー、４１…右側係合片、４５…左側係合片、４６…リブ、４７…引っ掛け部、４７Ａ…突端面、５０…フードロック装置、５１…右側固定部、５２…左側固定部、５３…ベース壁、５４…上壁、５５…下壁、６０…フードロック装置、６１…右側固定部、６２…左側固定部、６３…ベース壁、６４…上部アーム、６５…下部アーム、６６…係合孔、７０…アッパー、７１…右側係合片、７２…左側係合片、７３…スリット、７４…貫通孔、７５…バネ部、７６…係合突起、８０…フードロック装置、８１…右側固定部、８２…左側固定部、８３…ベース壁、８４…下部アーム、８４Ａ…係合孔、８５…上部アーム、９０…アッパー、９１…立壁部、９２…上壁部、９２Ａ…係合突起、９３…スリット、１００…アッパー、１０１…右側ポケット、１００Ａ…係合突起、１０２…底壁、１０３…右壁、１０４…前壁、１０５…左側ポケット、１０６…底壁、１０７…左壁、１０８…前壁、１０９…挿通孔、１０９Ａ…凹部、１１０…アッパー、１１１…右側壁、１１２…左側壁、１１３…前壁、１１４…係合部、１１５…底壁部、１２０…フードロック装置、１２１…右側係合片、１２２…左側係合片、１３０…アッパー、１３１…右側ポケット部、１３２…左側ポケット部、１３３…底壁、１３４…右壁、１３５…左壁、１３６…前壁。
【図１】
2020032912.tif 000003
【図２】
2020032912.tif 000004
【図３】
2020032912.tif 000005
【図４】
2020032912.tif 000006
【図５】
2020032912.tif 000007
【図６】
2020032912.tif 000008
【図７】
2020032912.tif 000009
【図８】
2020032912.tif 000010
【図９】
2020032912.tif 000011
【図１０】
2020032912.tif 000012
【図１１】
2020032912.tif 000013
【図１２】
2020032912.tif 000014
【図１３】
2020032912.tif 000015
【図１４】
2020032912.tif 000016
【図１５】
2020032912.tif 000017
【図１６】
2020032912.tif 000018
【図１７】
2020032912.tif 000019
【図１８】
2020032912.tif 000020
【図１９】
2020032912.tif 000021
【図２０】
2020032912.tif 000022
【図２１】
2020032912.tif 000023
【図２２】
2020032912.tif 000024
【図２３】
2020032912.tif 000025